(57)【要約】【課題】音声データの無い動画ファイルを再生させる場合、その動画ファイルに対応した複数の音声ファイルの中から所望の音声ファイルを選択して、動画ファイルと音声ファイルを同時再生することが可能な情報再生装置を提供する。【解決手段】複数音声選択機能が設定されている場合、再生リスト画面から所望の動画ファイルが選択されると、前記所望の動画ファイルと同一のフォルダに対象となる音声ファイルが有る場合は、音声ファイル選択画面がディスプレイ装置に表示される。そして、音声ファイル選択画面の中から所望の音声ファイルが選択されると、前記選択された所望の動画ファイルと前記選択された所望の音声ファイルとが同時再生される。音声ファイル選択画面の中で前記所望の音声ファイルとは別の所望の音声ファイルが選択されることにより、再生中でも、音声ファイルを切り換えることができる。【選択図】図７
2009093695.tif 000002
【特許請求の範囲】
【請求項１】
少なくとも動画ファイルおよび音声ファイルが記録された記録媒体に対して情報の再生を行うことが可能な情報再生装置において、
複数音声選択機能が設定されている場合、再生リスト画面から所望の動画ファイルが選択されたことを検知したとき、前記所望の動画ファイルと同一のフォルダに対象となる音声ファイルが有る場合は、音声ファイル選択画面をディスプレイ装置に表示させる音声ファイル選択画面表示手段と、
前記表示された音声ファイル選択画面の中から所望の音声ファイルが選択されたことを検知したとき、前記選択された所望の動画ファイルと前記選択された所望の音声ファイルとを同時再生させる同時再生手段と、を備えたことを特徴とする情報再生装置。
【請求項２】
前記同時再生手段により、前記動画ファイルと前記音声ファイルが同時再生されている際中に、前記音声ファイル選択画面の表示の指示を検知したとき、前記音声ファイル選択画面をディスプレイ装置に表示させる再生中対応音声ファイル選択画面表示手段を備え、前記表示された音声ファイル選択画面の中で前記所望の音声ファイルとは別の所望の音声ファイルが選択されることにより、出力音声を切り換えることを可能にすることを特徴とする請求項１に記載の情報再生装置。
【請求項３】
前記音声ファイル選択画面の中から何れの音声ファイルも選択されなかったことを検知したとき、前記選択された所望の動画ファイルのみを再生させる再生手段を備えたことを特徴とする請求項１に記載の情報再生装置。
【請求項４】
複数音声選択機能が設定されていない場合、再生リスト画面から所望の動画ファイルが選択されたことを検知したとき、前記選択された所望の動画ファイルのみを再生させる再生手段を備えたことを特徴とする請求項１に記載の情報再生装置。
【発明の詳細な説明】
【技術分野】
【０００１】
本発明は、少なくとも動画ファイルおよび音声ファイルが記録された記録媒体に対して情報の再生を行うことが可能な情報再生装置に関する。
【背景技術】
【０００２】
従来から、この種の情報再生装置は、ＤＶＤやＣＤなどの記録媒体に記録されている動画ファイルおよび音声ファイルを読み出し、テレビジョン受像機などのモニタ装置におけるディスプレイ装置に再生映像を表示すると共に音声出力装置から再生音声を出力させたりしている。
【０００３】
ところで、音声ファイルの形式としては、ＭＰ３（MPEG Audio Layer-３）、ＭＰ２（MPEG Audio Layer-２）、ＡＴＲＡＣ（Adaptive Transform Acoustic Coding）などが知られている。また、動画ファイルの形式としては、音声データの無いＡＶＩやＤｉｖｘ（登録商標）などが知られている。
【０００４】
ここで、従来の情報再生装置において、記録媒体に記録されている動画ファイルおよび音声ファイルを再生する場合の処理について説明する。
【０００５】
先ず、ユーザは、記録媒体に記録されている複数の動画ファイルの中で再生させたい動画ファイルを選択するため、操作部の再生リスト表示用キーを操作すると、システムコントローラは、再生リスト表示指示がされたことを検知し、記録媒体のファイル管理情報を読み出し、このファイル管理情報に従って再生リスト画面をモニタ装置のディスプレイ装置に表示させる。
【０００６】
そして、ユーザは、再生リスト画面を見て、操作部を操作して、所望の動画ファイルの動画ファイル名を選択して決定すると、システムコントローラは、記録媒体のファイル管理情報を読み出し、このファイル管理情報に従って、前記選択された動画ファイル名に対応する音声ファイル名の音声ファイルを記録媒体から読み出し、所望の動画ファイルと、この動画ファイルに対応する音声ファイルとを同時再生させる。そして、その再生が終了すれば、本処理は終了する。
【特許文献１】特開２００５−２５１３４０号公報
【発明の開示】
【発明が解決しようとする課題】
【０００７】
しかしながら、従来の情報再生装置では、基本的に一つの動画ファイルに対して音声ファイルは、予め定めた音声ファイル一つのみであるので、その動画ファイルに対して別の所望の音声ファイルを選択して再生できないと言う課題があり、また、再生中に、別の所望の音声ファイルを再生することができないので、ユーザにとっては、使い勝手が劣ると言う課題もあった。
【０００８】
なお、特許文献１の従来技術では、記録媒体に記録されている音声／画像ファイルが、音声／画像ファイル形式によらず、まとめて一覧メニューに表示されるため、音声／画像ファイル形式の異同を意識することなく、記録媒体に記録されている音声／画像ファイルを確認して、再生することができるようにしているが、音声データの無いＡＶＩやＤｉｖｘ（登録商標）のような動画ファイルについては、一つの動画ファイルに対して音声ファイルは予め定めた音声ファイル一つのみを同時再生できるようになっており、したがって、このような動画ファイルに対して別の所望の音声ファイルを選択して再生したり、また、再生中に、別の所望の音声ファイルを選択して再生したりするようなことは開示されていない。
【０００９】
本発明は、上記のような課題を解決するためになされたもので、音声データの無い動画ファイルを再生させる場合、その動画ファイルに対応した複数の音声ファイルの中から所望の音声ファイルを選択して、動画ファイルと音声ファイルを同時再生することが可能な情報再生装置を提供することを目的とする。
【課題を解決するための手段】
【００１０】
上記目的を達成するために、請求項１の発明は、少なくとも動画ファイルおよび音声ファイルが記録された記録媒体に対して情報の再生を行うことが可能な情報再生装置において、複数音声選択機能が設定されている場合、再生リスト画面から所望の動画ファイルが選択されたことを検知したとき、前記所望の動画ファイルと同一のフォルダに対象となる音声ファイルが有る場合は、音声ファイル選択画面をディスプレイ装置に表示させる音声ファイル選択画面表示手段と、前記表示された音声ファイル選択画面の中から所望の音声ファイルが選択されたことを検知したとき、前記選択された所望の動画ファイルと前記選択された所望の音声ファイルとを同時再生させる同時再生手段とを備えたことを特徴とする情報再生装置を提供する。
【００１１】
この構成において、複数音声選択機能が設定されている場合、再生リスト画面から所望の動画ファイルが選択されると、前記所望の動画ファイルと同一のフォルダに対象となる音声ファイルが有る場合は、音声ファイル選択画面がディスプレイ装置に表示される。そして、前記表示された音声ファイル選択画面の中から所望の音声ファイルが選択されると、前記選択された所望の動画ファイルと前記選択された所望の音声ファイルとが同時再生される。
【００１２】
この構成によれば、音声データの無い動画ファイルを再生させる場合、その動画ファイルに対応した複数の音声ファイルの中から所望の音声ファイルを選択して、動画ファイルと音声ファイルを同時再生することが可能になり、これにより、基本的に一つの動画ファイルに対して予め定めた音声ファイルのみを再生できるようになっているファイル形式のファイルでも、その動画ファイルに対して別の所望の音声ファイルを選択して再生でき、ユーザにとっては、使い勝手が向上する。
【００１３】
請求項２の発明では、請求項１の発明において、同時再生手段により、動画ファイルと音声ファイルが同時再生されている際中に、音声ファイル選択画面の表示の指示を検知したとき、音声ファイル選択画面をディスプレイ装置に表示させる再生中対応音声ファイル選択画面表示手段を備え、前記表示された音声ファイル選択画面の中で前記所望の音声ファイルとは別の所望の音声ファイルが選択されることにより、出力音声を切り換えることを可能にするので、再生中でも、音声ファイルを切り換えることができ、ユーザにとっては使い勝手が向上する。
【００１４】
請求項３の発明では、請求項１の発明において、音声ファイル選択画面の中から何れの音声ファイルも選択されなかったことを検知したとき、前記選択された所望の動画ファイルのみを再生させる再生手段を備えたので、音声ファイル選択画面の中から何れの音声ファイルも選択されなかったとき、前記選択された所望の動画ファイルのみを再生させることができる。
【００１５】
請求項４の発明では、請求項１の発明において、複数音声選択機能が設定されていない場合、再生リスト画面から所望の動画ファイルが選択されたことを検知したとき、前記選択された所望の動画ファイルのみを再生させる再生手段を備えたので、複数音声選択機能が設定されていない場合、再生リスト画面から所望の動画ファイルが選択されたことを検知したとき、前記選択された所望の動画ファイルのみを再生させることができる。
【発明の効果】
【００１６】
以上のように本発明によれば、音声データの無い動画ファイルを再生させる場合、その動画ファイルに対応した複数の音声ファイルの中から所望の音声ファイルを選択して、動画ファイルと音声ファイルを同時再生することが可能になり、これにより、基本的に一つの動画ファイルに対して予め定めた音声ファイルのみを再生できるようになっているファイル形式のファイルでも、その動画ファイルに対して別の所望の音声ファイルを選択して再生でき、ユーザにとっては、使い勝手が向上する。
【００１７】
また、音声ファイル選択画面の中で所望の音声ファイルとは別の所望の音声ファイルが選択されることにより、出力音声を切り換えることを可能にするので、再生中でも、音声ファイルを切り換えることができ、ユーザにとっては使い勝手が向上する。
【発明を実施するための最良の形態】
【００１８】
以下、添付図面を参照しつつ、本発明の実施の形態について説明する。図１は本発明の第１，第２の実施形態に係る情報再生装置の構成を示すブロック図である。
【００１９】
図１において、情報再生装置Ａは、ＤＶＤ、ＢＤ、ＣＤなどの記録媒体１から音声／動画ファイルを読み出す読出部２と、前記読み出された音声／動画ファイルを復調する復調部３と、前記復調された音声／動画ファイルを一時的に格納するバッファメモリ４と、前記一時的に格納された音声ファイルをデコードするＭＰ３／ＷＭＡデコーダ５と、前記デコードされた音声ファイルのデジタルデータをアナログ信号に変換するＤ／Ａ変換部６と、前記アナログ信号に変換された音声信号を出力する音声出力端子７とを備えている。
【００２０】
また、情報再生装置Ａは、バッファメモリ４に一時的に格納された動画ファイルをデコードするＭＰＥＧデコーダ８と、前記デコードされた動画ファイルのデジタル信号を外付けのモニタ装置Ｂに表示するためのデータ形式に変換する映像出力処理部９と、この映像出力処理部９で処理した動画ファイルのデータを出力する映像出力端子１０と、複数のキーを有しキーの押下により操作信号を出力する操作部１１と、装置全体を制御するＣＰＵを有するシステムコントローラ１２と、前記ＣＰＵの演算や処理に必要なプログラムやデータを記憶したＲＯＭ１３と、前記ＣＰＵの演算や処理に必要なデータを一時的に格納するＲＡＭ１４とを備えている。
【００２１】
音声出力端子７には、モニタ装置Ｂの音声出力装置１５の入力端子が接続され、映像出力端子１０には、モニタ装置Ｂのディスプレイ装置１６の入力端子が接続されている。
【００２２】
システムコントローラ１２は、第１の実施形態の特徴として、複数音声選択機能が設定されている場合、再生リスト画面から所望の動画ファイルが選択されたことを検知したとき、前記所望の動画ファイルと同一のフォルダに対象となる音声ファイルが有る場合は、音声ファイル選択画面をディスプレイ装置１６に表示させる音声ファイル選択画面表示手段と、前記表示された音声ファイル選択画面の中から所望の音声ファイルが選択されたことを検知したとき、前記選択された所望の動画ファイルと前記選択された所望の音声ファイルとを同時再生させる同時再生手段と、前記音声ファイル選択画面の中から何れの音声ファイルも選択されなかったことを検知したとき、前記選択された所望の動画ファイルのみを再生させると共に、複数音声選択機能が設定されていない場合、再生リスト画面から所望の動画ファイルが選択されたことを検知したとき、前記選択された所望の動画ファイルのみを再生させる再生手段とを備えている。
【００２３】
また、システムコントローラ１２は、第２の実施形態の特徴として、複数音声選択機能が設定されている場合、再生リスト画面から所望の動画ファイルが選択されたことを検知したとき、前記所望の動画ファイルと同一のフォルダに対象となる音声ファイルが有る場合は、音声ファイル選択画面をディスプレイ装置１６に表示させる音声ファイル選択画面表示手段と、前記表示された音声ファイル選択画面の中から所望の音声ファイルが選択されたことを検知したとき、前記選択された所望の動画ファイルと前記選択された所望の音声ファイルとを同時再生させる同時再生手段と、この同時再生手段により、前記動画ファイルと前記音声ファイルが同時再生されている際中に、前記音声ファイル選択画面の表示の指示を検知したとき、前記音声ファイル選択画面をディスプレイ装置１６に表示させる再生中対応音声ファイル選択画面表示手段と、前記音声ファイル選択画面の中から何れの音声ファイルも選択されなかったことを検知したとき、前記選択された所望の動画ファイルのみを再生させると共に、複数音声選択機能が設定されていない場合、再生リスト画面から所望の動画ファイルが選択されたことを検知したとき、前記選択された所望の動画ファイルのみを再生させる再生手段とを備えている。
【００２４】
図２は第１，第２の実施形態において複数音声選択機能を設定する場合のセットアップ画面がディスプレイ装置に表示されている一例を示す図である。このセットアップ画面２１では、項目「複数音声選択機能」と、複数音声選択機能を働かすように設定するための「ＯＮ」ボタンと、複数音声選択機能を働かせないように設定するための「ＯＦＦ」ボタンとが表示されている。セットアップ画面２１には、その他の機能も表示されるが、ここでは図示を省略する。
【００２５】
図３は第１，第２の実施形態において再生リスト画面の一例を示す図である。この再生リスト画面３１では、記録媒体に記録されている動画ファイルのファイル番号と、動画ファイルの動画ファイル名と、選択された動画ファイルがどれであるかを示す○印とが表示されている。ここでは、ファイル番号が「２」であり、動画ファイル名が「ＭＦ２」である動画ファイルが選択されていることを示す。
【００２６】
図４は第１，第２の実施形態において音声ファイル選択画面の一例を示す図である。この音声ファイル選択画面４１では、記録媒体に記録されている音声ファイルのファイル番号と、音声ファイルの音声ファイル名と、選択された音声ファイルがどれであるかを示す○印とが表示されている。ここでは、ファイル番号が「２」であり、音声ファイル名が「ＡＦ２」である音声ファイルが選択されていることを示す。何れの音声ファイルＡＦ１〜ＡＦ５も選択しない場合には、項目「選択しない」を選択する。
【００２７】
図５は第１，第２の実施形態において音声ファイル選択画面の一例を示す図である。この音声ファイル選択画面５１では、記録媒体に記録されている音声ファイルのファイル番号と、音声ファイルの音声ファイル名と、選択された音声ファイルがどれであるかを示す○印とが表示されている。ここでは、ファイル番号が「５」であり、音声ファイル名が「ＡＦ５」である音声ファイルが選択されていることを示す。何れの音声ファイルＡＦ１〜ＡＦ５も選択しない場合には、項目「選択しない」を選択する。
【００２８】
図６は第１の実施形態において記録媒体に記録されている動画ファイルおよび音声ファイルを再生する場合の処理を説明するためのフローチャートである。このフローチャートおよび図１〜図５を参照して記録媒体に記録されている動画ファイルおよび音声ファイルを再生する場合の処理について説明する。
【００２９】
先ず、ユーザは、セットアップ画面２１をモニタ装置Ｂのディスプレイ装置１６に表示させるために、操作部１１のセットアップ表示用キーを操作すると、システムコントローラ１２は、セットアップ画面の表示指示がされたことを検知し（ステップＳ１）、例えば、セットアップ画面２１をモニタ装置Ｂのディスプレイ装置１６に表示させる（ステップＳ２）。
【００３０】
ユーザは、セットアップ画面２１を見て、複数音声選択機能を働かせたい場合には、操作部１１のカーソルキーを操作して「ＯＮ」ボタンを選択し、更に操作部１１の決定キーを操作すると、システムコントローラ１２は、複数音声選択機能が設定されたことを検知する（ステップＳ３）。
【００３１】
次に、ユーザは、記録媒体１に記録されている複数の動画ファイルの中で再生させたい動画ファイルを選択するため、操作部１１の再生リスト表示用キーを操作すると、システムコントローラ１２は、再生リスト表示指示がされたことを検知し（ステップＳ４）、記録媒体１に記録されているファイル管理情報を読み出し、このファイル管理情報に従って、例えば、再生リスト画面３１をモニタ装置Ｂのディスプレイ装置１６に表示させる（ステップＳ５）。
【００３２】
そして、ユーザは、再生リスト画面３１を見て、操作部１１を操作して、例えば、動画ファイル名「ＭＦ２」を選択して決定すると、システムコントローラ１２の音声ファイル選択画面表示手段は、動画ファイル名「ＭＦ２」の動画ファイルが選択されたことを検知し（ステップＳ６）、動画ファイル名「ＭＦ２」の動画ファイルと同一のフォルダに対象となる音声ファイルが有る場合は、音声ファイル選択画面４１をディスプレイ装置１６に表示させる（ステップＳ７）。
【００３３】
ユーザは、音声ファイル選択画面４１を見て、操作部１１を操作して、例えば、音声ファイル名「ＡＦ２」を選択して決定すると、システムコントローラ１２の同時再生手段は、音声ファイル名「ＡＦ２」の音声ファイルが選択されたことを検知し（ステップＳ８）、記録媒体１から前記選択された動画ファイルと前記選択された音声ファイルとを同時再生させる（ステップＳ９）。そして、その再生が終了すれば（ステップＳ１４）、本処理は終了する。
【００３４】
なお、ユーザは、セットアップ画面２１を見て、複数音声選択機能を働かせたくない場合には、操作部１１のカーソルキーを操作して「ＯＦＦ」ボタンを選択し、更に操作部１１の決定キーを操作すると、システムコントローラ１２は、複数音声選択機能が設定されていないことを検知する（ステップＳ３）。
【００３５】
次に、ユーザは、記録媒体１に記録されている複数の動画ファイルの中で再生させたい動画ファイルを選択するため、操作部１１の再生リスト表示用キーを操作すると、システムコントローラ１２は、再生リスト表示指示がされたことを検知し（ステップＳ１０）、記録媒体１に記録されているファイル管理情報を読み出し、このファイル管理情報に従って、例えば、再生リスト画面３１をモニタ装置Ｂのディスプレイ装置１６に表示させる（ステップＳ１１）。
【００３６】
そして、ユーザは、再生リスト画面３１を見て、操作部１１を操作して、例えば、動画ファイル名「ＭＦ２」を選択して決定すると、システムコントローラ１２の再生手段は、動画ファイル名「ＭＦ２」の動画ファイルが選択されたことを検知し（ステップＳ１２）、記録媒体１から例えば動画ファイル名「ＭＦ２」の動画ファイルのみを再生させる（ステップＳ１３）。そして、その再生が終了すれば（ステップＳ１４）、本処理は終了する。
【００３７】
また、ステップＳ８において、例えば、音声ファイル選択画面４１（図４参照）で音声ファイル名が選択されず、操作部１１のカーソルキーの操作により、項目「選択しない」が選択され、操作部１１の決定キーの操作により、決定されると、システムコントローラ１２の再生手段は、音声ファイル選択画面４１から何も音声ファイルが選択されなかったことを検知し（ステップＳ８）、例えば動画ファイル名「ＭＦ２」の動画ファイルのみを再生させる（ステップＳ１３）。そして、その再生が終了すれば（ステップＳ１４）、本処理は終了する。
【００３８】
以上説明した第１の実施形態によれば、音声データの無い動画ファイルを再生させる場合、その動画ファイルに対応した複数の音声ファイルの中から所望の音声ファイルを選択して、動画ファイルと音声ファイルを同時再生することが可能になり、これにより、基本的に一つの動画ファイルに対して予め定めた音声ファイルのみを再生できるようになっているファイル形式のファイルでも、その動画ファイルに対して別の所望の音声ファイルを選択して再生でき、ユーザにとっては、使い勝手が向上する。
【００３９】
図７は第２の実施形態において記録媒体に記録されている動画ファイルおよび音声ファイルを再生する場合の処理を説明するためのフローチャートである。図７において、図６に示すステップに相当するものには同一の符号を付している。このフローチャートおよび図１〜図５を参照して記録媒体に記録されている動画ファイルおよび音声ファイルを再生する場合の処理について説明する。
【００４０】
先ず、ユーザは、セットアップ画面２１をモニタ装置Ｂのディスプレイ装置１６に表示させるために、操作部１１のセットアップ表示用キーを操作すると、システムコントローラ１２は、セットアップ画面の表示指示がされたことを検知し（ステップＳ１）、例えば、セットアップ画面２１をモニタ装置Ｂのディスプレイ装置１６に表示させる（ステップＳ２）。
【００４１】
ユーザは、セットアップ画面２１を見て、複数音声選択機能を働かせたい場合には、操作部１１のカーソルキーを操作して「ＯＮ」ボタンを選択し、更に操作部１１の決定キーを操作すると、システムコントローラ１２は、複数音声選択機能が設定されたことを検知する（ステップＳ３）。
【００４２】
次に、ユーザは、記録媒体１に記録されている複数の動画ファイルの中で再生させたい動画ファイルを選択するため、操作部１１の再生リスト表示用キーを操作すると、システムコントローラ１２は、再生リスト表示指示がされたことを検知し（ステップＳ４）、記録媒体１に記録されているファイル管理情報を読み出し、このファイル管理情報に従って、例えば、再生リスト画面３１をモニタ装置Ｂのディスプレイ装置１６に表示させる（ステップＳ５）。
【００４３】
そして、ユーザは、再生リスト画面３１を見て、操作部１１を操作して、例えば、動画ファイル名「ＭＦ２」を選択して決定すると、システムコントローラ１２の音声ファイル選択画面表示手段は、動画ファイル名「ＭＦ２」の動画ファイルが選択されたことを検知し（ステップＳ６）、動画ファイル名「ＭＦ２」の動画ファイルと同一のフォルダに対象となる音声ファイルが有る場合は、例えば、音声ファイル選択画面４１をディスプレイ装置１６に表示させる（ステップＳ７）。
【００４４】
ユーザは、音声ファイル選択画面４１を見て、操作部１１を操作して、例えば、音声ファイル名「ＡＦ２」を選択して決定すると、システムコントローラ１２の同時再生手段は、音声ファイル名「ＡＦ２」の音声ファイルが選択されたことを検知し（ステップＳ８）、記録媒体１から前記選択された動画ファイルと前記選択された音声ファイルとを同時再生させる（ステップＳ９）。そして、その再生が終了すれば（ステップＳ１４）、本処理は終了する。
【００４５】
なお、ユーザは、セットアップ画面２１を見て、複数音声選択機能を働かせたくない場合には、操作部１１のカーソルキーを操作して「ＯＦＦ」ボタンを選択し、更に操作部１１の決定キーを操作すると、システムコントローラ１２は、複数音声選択機能が設定されていないことを検知する（ステップＳ３）。
【００４６】
次に、ユーザは、記録媒体１に記録されている複数の動画ファイルの中で再生させたい動画ファイルを選択するため、操作部１１の再生リスト表示用キーを操作すると、システムコントローラ１２は、再生リスト表示指示がされたことを検知し（ステップＳ１０）、記録媒体１に記録されているファイル管理情報を読み出し、このファイル管理情報に従って、例えば、再生リスト画面３１をモニタ装置Ｂのディスプレイ装置１６に表示させる（ステップＳ１１）。
【００４７】
そして、ユーザは、再生リスト画面３１を見て、操作部１１を操作して、例えば、動画ファイル名「ＭＦ２」を選択して決定すると、システムコントローラ１２の再生手段は、動画ファイル名「ＭＦ２」の動画ファイルが選択されたことを検知し（ステップＳ１２）、記録媒体１から動画ファイル名「ＭＦ２」の動画ファイルのみを再生させる（ステップＳ１３）。そして、その再生が終了すれば（ステップＳ１４）、本処理は終了する。
【００４８】
また、ステップＳ８において、例えば、音声ファイル選択画面４１（図４参照）で音声ファイル名が選択されず、操作部１１のカーソルキーの操作により、項目「選択しない」が選択され、操作部１１の決定キーの操作により、決定されると、システムコントローラ１２の再生手段は、音声ファイル選択画面４１から何も音声ファイルが選択されなかったことを検知し（ステップＳ８）、例えば動画ファイル名「ＭＦ２」の動画ファイルのみを再生させる（ステップＳ１３）。そして、その再生が終了すれば（ステップＳ１４）、本処理は終了する。
【００４９】
ところで、動画ファイルと音声ファイルを同時再生中に、記録媒体１に記録されている音声ファイルの中で、現在再生されている音声ファイルとは別の所望の音声ファイルを再生したくなる場合がある。そこで、ユーザは、再生対象の音声ファイルを切り換えるための操作を行うことになる。即ち、ユーザは、前記同時再生手段により、前記動画ファイルと前記音声ファイルが同時再生されている際中に、システムコントローラ１２の再生中対応音声ファイル選択画面表示手段が、音声ファイル選択画面の表示の指示を検知したとき（ステップＳ１５）、音声ファイル選択画面４１をディスプレイ装置１６に表示させる（ステップＳ７）。
【００５０】
この後、ユーザは、音声ファイル選択画面４１を見て、操作部１１を操作して、例えば、音声ファイル名「ＡＦ５」を選択して決定すると、図５に示すような音声ファイル選択画面５１になり、システムコントローラ１２の同時再生手段は、音声ファイル名「ＡＦ５」の音声ファイルが選択されたことを検知し（ステップＳ８）、記録媒体１から前記選択された動画ファイルと前記選択された音声ファイルとを同時再生させる（ステップＳ９）。このように、例えば、音声ファイル選択画面４１の中で音声ファイル名「ＡＦ２」の音声ファイルとは別の所望の音声ファイル（音声ファイル選択画面５１のように音声ファイル名「ＡＦ５」の音声ファイル）が選択されることにより、出力音声を切り換えることができるようになる。
【００５１】
以上説明した第２の実施形態によれば、音声データの無い動画ファイルを再生させる場合、その動画ファイルに対応した複数の音声ファイルの中から所望の音声ファイルを選択して、動画ファイルと音声ファイルを同時再生することが可能になり、これにより、基本的に一つの動画ファイルに対して予め定めた音声ファイルのみを再生できるようになっているファイル形式のファイルでも、その動画ファイルに対して別の所望の音声ファイルを選択して再生でき、ユーザにとっては、使い勝手が向上する。
【００５２】
また、音声ファイル選択画面の中で所望の音声ファイルとは別の所望の音声ファイルが選択されることにより、出力音声を切り換えることを可能にするので、再生中でも、音声ファイルを切り換えることができ、ユーザにとっては使い勝手が向上する。
【００５３】
以上説明した第１，第２の実施形態によれば、例えば、Ｄｉｖｘファイルで音声の無い動画ファイル（ＡＶＩやＤｉｖｘ）を再生する場合、そのファイルに対応した音声ファイル（ＭＰ３、ＭＰ２など）を選択すると、動画ファイルに合わせて音声ファイルを再生される。また、通常、Ｄｉｖｘファイルは複数音声の切換は、ファイル作成時に編集する必要があったが、第２の実施形態により、再生中の容易な操作により、音声切換を可能にする。
【産業上の利用可能性】
【００５４】
本発明は、少なくとも動画ファイルおよび音声ファイルが記録された記録媒体に対して情報の再生を行うことが可能な情報再生装置（ＤＶＤプレイヤなど）に利用可能である。
【図面の簡単な説明】
【００５５】
【図１】本発明の第１，第２の実施形態に係る情報再生装置の構成を示すブロック図である。
【図２】第１，第２の実施形態において複数音声選択機能を設定する場合のセットアップ画面がディスプレイ装置に表示されている一例を示す図である。
【図３】第１，第２の実施形態において再生リスト画面の一例を示す図である。
【図４】第１，第２の実施形態において音声ファイル選択画面の一例を示す図である。
【図５】第１，第２の実施形態において音声ファイル選択画面の一例を示す図である。
【図６】第１の実施形態において記録媒体に記録されている動画ファイルおよび音声ファイルを再生する場合の処理を説明するためのフローチャートである。
【図７】第２の実施形態において記録媒体に記録されている動画ファイルおよび音声ファイルを再生する場合の処理を説明するためのフローチャートである。
【符号の説明】
【００５６】
Ａ    情報再生装置
１    記録媒体
１６    ディスプレイ装置
３１    再生リスト画面
４１，５１    音声ファイル選択画面
１２１    音声ファイル選択画面表示手段
１２２    同時再生手段
１２３    再生中対応音声ファイル選択画面表示手段
１２４    再生手段
【図１】
2009093695.tif 000003
【図２】
2009093695.tif 000004
【図３】
2009093695.tif 000005
【図４】
2009093695.tif 000006
【図５】
2009093695.tif 000007
【図６】
2009093695.tif 000008
【図７】
2009093695.tif 000009